(57)【要約】【課題】間欠受信の周期が長い場合において基地局からの着呼通知を受信する可能性を高める無線通信システムおよび無線通信方法を提供すること。【解決手段】基地局装置２０と、間欠受信する無線端末１０とを備えた無線通信システムにおいて、基地局装置２０は、無線端末１０宛の着呼通知に応答がなかったときには着呼通知を再送し、基地局装置２０は、他の無線端末に着呼通知を送信する際、再送に応答しなかった無線端末１０の識別情報を着呼通知の通知領域に設定して着呼通知を送信し、無線端末１０が、受信した着呼通知の通知領域に設定されている識別情報が自己である場合、間欠受信の間隔をより短くするように構成する。【選択図】図３
2015002465.tif 000002
【特許請求の範囲】
【請求項１】
前記基地局装置と、間欠受信する無線端末とを備えた無線通信システムにおいて、
前記基地局装置は、前記無線端末宛の着呼通知に応答がなかったとき、他の無線端末に着呼通知を送信する際、前記応答がなかった前記無線端末の識別情報を着呼通知の通知領域に設定して着呼通知を送信し、
前記無線端末が、受信した前記着呼通知の通知領域に設定されている識別情報が自己である場合、間欠受信の間隔をより短くする無線通信システム。
【請求項２】
基地局装置と、間欠受信する無線端末とを備えた無線通信システムにおいて、
前記基地局装置は、前記無線端末宛の着呼通知に応答がなかったときには着呼通知を再送し、
前記基地局装置は、他の無線端末に着呼通知を送信する際、前記再送に応答しなかった前記無線端末の識別情報を着呼通知の通知領域に設定して着呼通知を送信し、
前記無線端末が、受信した前記着呼通知の通知領域に設定されている識別情報が自己である場合、間欠受信の間隔をより短くする無線通信システム。
【請求項３】
基地局装置と、間欠受信する無線端末とを備えた無線通信システムの無線通信方法において、
前記基地局装置は、前記無線端末宛の着呼通知に応答がなかったとき、他の無線端末に着呼通知を送信する際、前記応答がなかった前記無線端末の識別情報を着呼通知の通知領域に設定して着呼通知を送信するステップと、
前記無線端末が、受信した前記着呼通知の通知領域に設定されている識別情報が自己である場合、間欠受信の間隔をより短くするステップとを含む無線通信方法。
【発明の詳細な説明】
【技術分野】
【０００１】
本発明は、無線通信システムおよび無線通信方法に関する。
【背景技術】
【０００２】
現在、自動販売機などの機器管理を遠隔から制御するテレメタリングという技術が使われている。詳細には、自動販売機の在庫管理、ガスメータの読み取り、無人駐車場の発券・料金精算機などに、専用のＰＨＳ端末を接続することで、機器のデータ収集やメンテナンスのセンター管理が可能になっている。
【０００３】
一方、現在のＰＨＳ端末は、基地局に対して１．２秒の間欠受信を行い着信の待ち受けを行うが、電力消費対策などを踏まえて、今後、間欠受信の周期を２１．６秒にした専用のＰＨＳ端末が考えられている。
【０００４】
なお、間欠受信に関する従来の技術については、特許文献１に記載されている。
【先行技術文献】
【特許文献】
【０００５】
【特許文献１】特開２００８−２１１６２８号公報
【発明の概要】
【発明が解決しようとする課題】
【０００６】
しかしながら、間欠受信の周期を２１．６秒にすると、間欠受信タイミングが長いため、端末が基地局からの着呼通知を受信することができない可能性が高くなり、着呼通知の再送が繰り返しなされても、着呼通知の再送が、次の受信タイミング前に停止されてしまう恐れもある。
【０００７】
そこで、本発明は、このような問題を解決するためになされたもので、間欠受信の周期が長い場合において基地局からの着呼通知を受信する可能性を高める無線通信システムおよび無線通信方法を提供することを目的とする。
【課題を解決するための手段】
【０００８】
本発明の無線通信システムは、前記基地局装置と、間欠受信する無線端末とを備えた無線通信システムにおいて、前記基地局装置は、前記無線端末宛の着呼通知に応答がなかったとき、他の無線端末に着呼通知を送信する際、前記応答がなかった前記無線端末の識別情報を着呼通知の通知領域に設定して着呼通知を送信し、前記無線端末が、受信した前記着呼通知の通知領域に設定されている識別情報が自己である場合、間欠受信の間隔をより短くするよう構成される。
【０００９】
また、本発明の無線通信システムは、基地局装置と、間欠受信する無線端末とを備えた無線通信システムにおいて、前記基地局装置は、前記無線端末宛の着呼通知に応答がなかったときには着呼通知を再送し、前記基地局装置は、他の無線端末に着呼通知を送信する際、前記再送に応答しなかった前記無線端末の識別情報を着呼通知の通知領域に設定して着呼通知を送信し、前記無線端末が、受信した前記着呼通知の通知領域に設定されている識別情報が自己である場合、間欠受信の間隔をより短くするよう構成される。
【００１０】
本発明の無線通信方法は、基地局装置と、間欠受信する無線端末とを備えた無線通信システムの無線通信方法において、前記基地局装置は、前記無線端末宛の着呼通知に応答がなかったとき、他の無線端末に着呼通知を送信する際、前記応答がなかった前記無線端末の識別情報を着呼通知の通知領域に設定して着呼通知を送信するステップと、前記無線端末が、受信した前記着呼通知の通知領域に設定されている識別情報が自己である場合、間欠受信の間隔をより短くするステップとを含む。
【発明の効果】
【００１１】
本発明は、間欠受信の周期が長い場合において基地局からの着呼通知を受信する可能性を高める無線通信システムおよび無線通信方法を提供することを目的とする。
【図面の簡単な説明】
【００１２】
【図１】本実施例に係る基地局装置のブロック図である。
【図２】本実施例に係る無線端末のブロック図である。
【図３】本発明の実施例に係る無線通信システムの動作例を示すシーケンスある。
【図４】ＰＣＨスロットの構成図である。
【図５】従来の無線通信システムの動作例である。
【発明を実施するための形態】
【００１３】
以下、本発明の実施の形態について、図面を参照して説明する。
【００１４】
図１は、本実施例に係る基地局装置のブロック図である。基地局装置２０は、無線通信部２１、ネットワークインタフェース２２、および制御部２３を有している。
【００１５】
無線通信部２１は、無線端末１０と通信するためにアンテナ（図示していない）からマルチキャリア信号を送受信するものである。例えば、無線通信部２１は、所定の通信規格（本実施例ではＰＨＳについて記載している）に準拠した通信を行うものである。無線通信部２１は、制御部２３から出力された信号を変調処理し、変調処理された信号を無線信号に変換して送信するようになっており、受信した信号を変換し、変換したものを復調処理して制御部２３に出力するようになっている。
【００１６】
ネットワークインタフェース２２は、インターネットや電話網との通信を行うものである。
【００１７】
制御部２３は、通信等の種々のプログラムを実行するＣＰＵ、ＲＯＭ、ＲＡＭなどによって構成される。なお、制御部２３は、着呼通知するためのＰＣＨスロットを制御するが、後述する。
【００１８】
図２は、本実施例に係る無線端末のブロック図である。無線端末１０は、無線通信部１１、バッテリ１４、操作入力部１５Ａ、表示部１５Ｂ、音声入出力部１５Ｃ、および制御部１６を有している。
【００１９】
無線通信部１１は、送信部１２および受信部１３によって構成され、基地局装置２０と通信するためのアンテナ（図示していない）から無線信号を送受信するものである。例えば、無線通信部１１は、所定の通信規格（本実施例ではＰＨＳについて記載している）準拠した通信を行うものである。送信部１２は、制御部１６から出力された信号を変調し、変調された信号を送信し、受信部１３は、信号を受信した場合、その信号を復調処理して制御部１６に出力するものである。
【００２０】
受信部１３は、２１．６秒などの長い周期で間欠受信するようになっている。
【００２１】
バッテリ１４は、例えば充電池であり、無線通信部１１、操作入力部１５Ａ、表示部１５Ｂ、音声入出力部１５Ｃ、および制御部１６などの各部に電力を供給するものである。
【００２２】
操作入力部１５Ａは、テンキーなどから構成され、利用者によって操作されたものを入力するものであり、表示部１５Ｂは、液晶ディスプレイなどのディスプレイである。音声入出力部１５Ｃは、主に通話で必要となる音声を収音するマイクロフォンや音声を出力するスピーカーである。
【００２３】
制御部１６は、種々のプログラムを実行するＣＰＵ、ＲＯＭ、ＲＡＭなどによって構成される。なお、制御部２３は、着呼通知するためのＰＣＨスロットを受信したとき、ＰＣＨスロットを参照し、その内容に従って後述の処理を行うようになっている。
【００２４】
以上のように構成された無線端末１０および基地局装置２０の動作について図面を用いて説明する。
【００２５】
図３は、本発明の実施例に係る無線通信システムの動作例を示すシーケンスである。
【００２６】
まず、例えばセンターから無線端末１０に対し呼が生起し、呼設定が基地局装置２０に要求される（Ｓ１）。
【００２７】
基地局装置２０は、呼設定の要求に応じて、着呼通知するためのＰＣＨスロットを送信する（Ｓ２）。
【００２８】
無線端末１０は、周期を２１．６秒にした間欠受信を行っている。無線端末１０は、この間欠受信後に、着呼通知するためのＰＣＨスロットが送信されるが、間欠受信後であるため、受信できない。
【００２９】
その後、基地局装置２０は、着呼通知の再送を行う（Ｓ３〜Ｓ５）が、無線端末１０が受信中でないため、再送は破棄される。
【００３０】
ここで、別の無線端末に対し呼設定が基地局装置２０に要求されたとする（Ｓ６）。このとき、図４に示すように、基地局装置２０は、再送中に応答しなかった無線端末１０のＰＳＩＤ（自己の識別子）をＰＣＨスロットの通知領域に設定し、それから、着呼通知のＰＣＨスロットを送信する（Ｓ７）。
【００３１】
無線端末１０は、間欠受信中にこのＰＣＨスロットを受信し、自分宛の着呼ではないが、通知領域に自分のＩＤがあることを認識し、間欠受信のタイミングを１．２秒の間隔になるよう変更する（制御部１６は通知領域に自分のＩＤがある場合は間欠受信のタイミングを短くする）。
【００３２】
その後、無線端末１０に対し呼が生起し、呼設定が基地局装置２０に要求される（Ｓ８）。
【００３３】
基地局装置２０は、呼設定の要求に応じて、着呼通知するためのＰＣＨスロットを送信する（Ｓ９）。無線端末１０は、間欠受信のタイミングを短く変更したため、次に着呼通知があっても受信できる。
【００３４】
以上説明したように、本実施例に係る無線通信システムは、基地局装置２０は、無線端末１０宛の着呼通知に応答がなかったとき、他の無線端末に着呼通知を送信する際、応答がなかった無線端末１０の識別情報を着呼通知の通知領域に設定して着呼通知を送信し、無線端末１０が、受信した着呼通知の通知領域に設定されている識別情報が自己である場合、間欠受信の間隔をより短くするため、間欠受信の周期が長い場合において基地局からの着呼通知を受信する可能性を高めることができる。
【００３５】
これに対し、図５の従来の無線通信システムの動作例では、Ｓ７で、着呼通知のＰＣＨスロットを受信しても、間欠受信のタイミングを変更しないため、次に着呼通知（Ｓ８）を受信できない。
【符号の説明】
【００３６】
１０  無線端末
１１  無線通信部
１２  送信部
１３  受信部
１４  バッテリ
１５Ａ  操作入力部
１５Ｂ  表示部
１５Ｃ  音声入出力部
１６  制御部
２０  基地局装置
２１  無線通信部
２２  ネットワークインタフェース
２３  制御部
【図１】
2015002465.tif 000003
【図２】
2015002465.tif 000004
【図３】
2015002465.tif 000005
【図４】
2015002465.tif 000006
【図５】
2015002465.tif 000007